(57)【要約】【課題】より耐候性に優れたＬＥＤランプを提供する。【解決手段】電球型ＬＥＤ（Ｌｉｇｈｔ  Ｅｍｉｔｔｉｎｇ  Ｄｉｏｄｅ）ランプは、ＬＥＤ１０４を保持すると共に、外周面に第１のねじ１０２１が形成されている発光部１０２と、内側壁面に第２のねじ１０１３が形成され、ＬＥＤ１０４を覆うように発光部１０２を収納するカバー部材１０１とを備える。そして、発光部１０２とカバー部材１０１とは、第１のねじ１０２１と第２のねじ１０１３とを螺合させることによって接合される。【選択図】図１
0003150914.tif 000002
【実用新案登録請求の範囲】
【請求項１】
ＬＥＤ（Ｌｉｇｈｔ  Ｅｍｉｔｔｉｎｇ  Ｄｉｏｄｅ）を保持すると共に、外周面に第１のねじが形成されている発光部と、
内側壁面に第２のねじが形成され、前記ＬＥＤを覆うように前記発光部を収納するカバー部材とを備え、
前記発光部と前記カバー部材とは、前記第１のねじと前記第２のねじとを螺合させることによって接合される
電球型ＬＥＤランプ。
【請求項２】
前記カバー部材は、略半球形状の球状部と、前記球状部の開口端に連なる円筒部とで構成されており、
前記第２のねじは、前記円筒部の内側壁面に形成されている
請求項１に記載の電球型ＬＥＤランプ。
【請求項３】
前記発光部は、略円筒形状であって、
その一方側端面に前記ＬＥＤが取り付けられ、
他方側端面に外部電源に接続される口金が取り付けられ、
内部に前記ＬＥＤと前記口金とを電気的に接続する点灯回路が収納され、
外周面に前記第１のねじが形成されている
請求項１または２に記載の電球型ＬＥＤランプ。
【請求項４】
前記第２のねじは、前記円筒部の開口側端部から所定の距離後退した位置に配置されており、
前記円筒部の開口側端部から前記第２のねじに至る部分は、前記発光部と前記カバー部材とが接合された際に、前記発光部の他方側端面から突出する突出部となる
請求項３に記載の電球型ＬＥＤランプ。
【請求項５】
該電球型ＬＥＤランプは、さらに、前記突出部と前記発光部の他方側端面とで区画された領域に配置されて、前記発光部と前記カバー部材との境界部分を封止する封止部材を備える
請求項４に記載の電球型ＬＥＤランプ。
【請求項６】
前記発光部の他方側端面には、その外縁部にリング状の凹み部が形成されており、
前記封止部材は、前記突出部と前記凹み部とで区画される領域に配置される
請求項５に記載の電球型ＬＥＤランプ。
【請求項７】
前記封止部材は、シリコンで形成されている
請求項５又は６に記載の電球型ＬＥＤランプ。
【考案の詳細な説明】
【技術分野】
【０００１】
本考案は、電球型ＬＥＤランプに関するものである。
【背景技術】
【０００２】
従来の電球型ＬＥＤランプは、例えば、特許文献１に開示されている。特許文献１に開示されている電球型ＬＥＤランプは、複数の発光ダイオードを保持する基板と、基板を保持するカバー部と、発光ダイオードを覆うようにカバー部の内側に嵌合固定されるグローブとを備える。
【０００３】
上記構成の電球型ＬＥＤランプは、例えば、屋外に設置される広告用看板のデコレーションとして利用されている。広告用看板には多数の電球型ＬＥＤランプが必要となるので、従来の白熱電球と比較して消費電力が少なく、且つ寿命が非常に長い電球型ＬＥＤランプが注目されている。
【先行技術文献】
【特許文献】
【０００４】
【特許文献１】特開２００８−９１１４０号公報
【考案の概要】
【考案が解決しようとする課題】
【０００５】
しかしながら、上記構成の電球型ＬＥＤランプは、カバー部とグローブとの熱膨張率の差によって、両者の間に隙間を生じることがある。この現象は、温度変化の激しい屋外に設置される場合に、特に顕著に現れる。
【０００６】
また、屋外に設置された電球型ＬＥＤランプは風雨に晒されるので、上記の隙間から浸入した雨水等によって、基板等が故障するという問題があった。すなわち、従来の電球型ＬＥＤランプでは、長寿命というメリットを十分に享受できていなかった。
【０００７】
そこで、本考案は上記の点に鑑みてなされたものであり、より耐候性に優れた電球型ＬＥＤランプを提供することを目的とする。
【課題を解決するための手段】
【０００８】
本考案に係る電球型ＬＥＤランプは、ＬＥＤ（Ｌｉｇｈｔ  Ｅｍｉｔｔｉｎｇ  Ｄｉｏｄｅ）を保持すると共に、外周面に第１のねじが形成されている発光部と、内側壁面に第２のねじが形成され、前記ＬＥＤを覆うように前記発光部を収納するカバー部材とを備える。そして、前記発光部と前記カバー部材とは、前記第１のねじと前記第２のねじとを螺合させることによって接合される。
【０００９】
上記構成のように、カバー部材の内側に発光部を収納し、且つ両者をねじによって接合することにより、カバー部材と発光部との境界部分から水滴等が浸入するのを有効に防止することができる。
【００１０】
具体的には、前記カバー部材は、略半球形状の球状部と、前記球状部の開口端に連なる円筒部とで構成されている。そして、前記第２のねじは、前記円筒部の内側壁面に形成されていてもよい。
【００１１】
具体的には、前記発光部は、略円筒形状であって、その一方側端面に前記ＬＥＤが取り付けられ、他方側端面に外部電源に接続される口金が取り付けられ、内部に前記ＬＥＤと前記口金とを電気的に接続する点灯回路が収納され、外周面に前記第１のねじが形成されていてもよい。
【００１２】
また、前記第２のねじは、前記円筒部の開口側端部から所定の距離後退した位置に配置されている。そして、前記円筒部の開口側端部から前記第２のねじに至る部分は、前記発光部と前記カバー部材とが接合された際に、前記発光部の他方側端面から突出する突出部となってもよい。
【００１３】
この突出部は、カバー部材と発光部との境界部分への水滴の到達を防止する、いわゆる「ひさし」として機能するので、さらに耐候性に優れた電球型ＬＥＤランプを得ることができる。
【００１４】
さらに、該電球型ＬＥＤランプは、前記突出部と前記発光部の他方側端面とで区画された領域に配置されて、前記発光部と前記カバー部材との境界部分を封止する封止部材を備えてもよい。これにより、さらに耐候性に優れた電球型ＬＥＤランプを得ることができる。
【００１５】
また、前記発光部の他方側端面には、その外縁部にリング状の凹み部が形成されている。そして、前記封止部材は、前記突出部と前記凹み部とで区画される領域に配置されてもよい。これにより、突出部の突出量を大きくしても、電球型ＬＥＤランプを取り付けた際に、突出部が他の部材と干渉するのを有効に防止することができる。
【００１６】
また、前記封止部材は、シリコンで形成されてもよい。これにより、カバー部材及び発光部の熱膨張率の差を吸収して、両者の境界部分を確実に封止することができる。
【考案の効果】
【００１７】
本考案に係る電球型ＬＥＤランプによると、カバー部材の内部に発光部を収納し、且つ両者をねじによって接合したので、より耐候性に優れた電球型ＬＥＤランプを提供することができるという効果がある。
【図面の簡単な説明】
【００１８】
【図１】本考案の一実施形態における電球型ＬＥＤランプについて説明するための斜視図である。
【図２】本考案の一実施形態における電球型ＬＥＤランプについて説明するための断面図である。
【図３】本考案の他の実施形態における電球型ＬＥＤランプについて説明するための断面図である。
【考案を実施するための形態】
【００１９】
以下、本考案の一実施形態について、図面を参照しながら説明する。
【００２０】
図１は、本考案の一実施形態における電球型ＬＥＤランプについて説明するための斜視図である。
【００２１】
本実施形態の電球型ＬＥＤランプは、複数のＬＥＤ（Ｌｉｇｈｔ  Ｅｍｉｔｔｉｎｇ  Ｄｉｏｄｅ：発光ダイオード）１０４が配設され、当該ＬＥＤ１０４側から見た場合に平面視略円形である発光部１０２と、当該発光部１０２を覆うカバー部材１０１とを含む。
【００２２】
発光部１０２は、内部に点灯回路等を保持する略円筒形状の部材であって、その一方側の端面（図２の上面）に複数のＬＥＤ１０４を保持し、他方側の端面（図２の下面）に口金１０３が取り付けられている。また、発光部１０２の外周面には、ねじ１０２１（雄ねじ）が形成されている。発光部１０２の材料は特に限定されないが、例えば、プラスチック等を用いることができる。
【００２３】
発光部１０２に収納されている点灯回路は、口金１０３及び複数のＬＥＤ１０４に電気的に接続されている。また、口金１０３は、電源ソケットに取り付けられる。そして、点灯回路は、例えば、口金１０３を介して電源ソケットから供給される交流電流を直流電流に整流し、当該直流電流をＬＥＤ１０４に供給する。
【００２４】
カバー部材１０１は、複数のＬＥＤ１０４を覆うように発光部１０２に取り付けられる透明又は半透明の部材である。具体的には、略半円形状の球状部１０１１と、球状部１０１１の開口端に連なる円筒部１０１２とで構成される。また、円筒部１０１２の内側壁面には、ねじ１０１３（雌ねじ）が形成されている。カバー部材１０１の材料は特に限定されないが、例えば、ガラスやプラスチック等を用いることができる。
【００２５】
また、球状部１０１１の内側壁面には、複数の凹凸部が形成されている。この凹凸部はレンズとして機能し、ＬＥＤ１０４からの光を拡散する。その結果、当該電球型ＬＥＤランプから柔らかい光が出力される。
【００２６】
そして、発光部１０２がカバー部材１０１の円筒部１０１２の内側に収納され、円筒部１０１２の内側壁面に形成されたねじ１０１３と発光部１０２の外周面に形成されたねじ１０２１とが螺合して、カバー部材１０１と発光部１０２とが固定されるように構成されている。
【００２７】
図２は、電球型ＬＥＤランプの構成について説明するための断面図である。
【００２８】
ねじ１０１３は、カバー部材１０１の円筒部１０１２の開口端から所定の距離後退した位置に設けられる。そして、ねじ１０１３とねじ１０２１とを螺合させると、円筒部１０１２の開口端からねじ１０１３に至る部分が、発光部１０２の他方側の端面（図２の下面）から突出する突出部１０５となる。
【００２９】
なお、突出部１０５の突出量は１ｍｍ〜７ｍｍ程度であり、より好ましくは３〜５ｍｍ程度とする。突出量が少ないと、水滴の浸入を有効に防止することができない。一方、突出量が大き過ぎると、突出部１０５が他部材（電球型ＬＥＤランプを取り付ける側、例えば、壁や看板等）に干渉して、口金１０３を電源ソケットの奥までねじ込むことができなくなる。
【００３０】
なお、発光部１０２の下端面の外縁部には、リング状の凹み部１０６が設けられている。凹み部１０６の凹み量は、例えば１〜３ｍｍ程度とすることができる。突出部１０５は、凹み部１０６の底壁から所定の突出量だけ突出している。突出部１０５の突出量を、凹み部１０６の凹み量より小さくすると、カバー部材１０１を取り付ける際の干渉を防止することができる。
【００３１】
図３は、電球型ＬＥＤランプの他の実施形態について説明するための断面図である。同図の形態では、突出部１０５と発光部１０２の他方側の端面とで区画される領域に、カバー部材１０１と発光部１０２との境界部分を封止するリング形状の封止部材１０７が取り付けられている。より具体的には、封止部材１０７は、突出部１０５と凹み部１０６とで区画される領域に取り付けることができる。封止部材１０７が固着されることにより、ＬＥＤ１０４が配設された部分への雨などの浸入を、より効果的に抑制することができる。
【００３２】
リング状の封止部材１０７を構成する材料は、特に限定されないが、例えば、シリコンを用いることができる。カバー部材１０１及び発光部１０２の外周部を構成する材料の熱膨張率は互いに異なるので、点灯回路の発熱や外気温の変化などによって両者の間に隙間が生じる場合がある。そこで、シリコン製の封止部材１０７で両者の間を封止することにより、カバー部材１０１及び発光部１０２の両者に密着して両者間の隙間を塞ぐことができる。
【００３３】
なお、封止部材１０７は、先にリング状に成形して固着するものに限定されず、接着剤等の流体材料を塗りつけて、材料塗布後にリング状部材となるような実施形態も可能である。
【００３４】
上記構成の電球型ＬＥＤランプは、カバー部材１０１と発光部１０２との間に水滴等が浸入することを有効に防止できるので、例えば、屋外に設置される広告用看板のデコレーションとして使用するのに好適である。つまり、水滴の浸入等によって点灯回路が故障したりすることがなくなるので、長寿命という電球型ＬＥＤランプのメリットを享受することができる。ただし、上記の電球型ＬＥＤランプは、屋外で使用される場合に限定されず、屋内でも使用できることは言うまでもない。
【００３５】
なお、カバー部材１０１の形状は、発光部１０２を収納してＬＥＤ１０４が風雨や埃等に直接晒されるのを防止できるものであれば特に限定されない。例えば、円筒部１０１２を省略して、球状部１０１１に直接ねじ１０１３を形成しても良い。または、円筒部１０１２の一方側端部（発光部１０２に取り付けられる側）が開口し、他方側端部が閉鎖された有底円筒体形状のカバー部材であってもよい。
【００３６】
また、発光部１０２の形状は、上記のものに特に限定されない。例えば、ＬＥＤ１０４を保持する面に平行な断面積が、一方側の端面（図２の上面）から他方側の端面（図２の下面）に向かって徐々に大きくなるような形状（円錐台形状）であってもよい。
【００３７】
以上、図面を参照してこの考案の実施形態を説明したが、この考案は、図示した実施形態のものに限定されない。図示した実施形態に対して、この考案と同一の範囲内において、あるいは均等の範囲内において、種々の修正や変形を加えることが可能である。
【産業上の利用可能性】
【００３８】
本考案は、例えば、電球型ＬＥＤランプに適用することができる。
【符号の説明】
【００３９】
１０１                    カバー部材
１０１１                  球状部
１０１２                  円筒部
１０１３                  ねじ
１０２                    発光部
１０２１                  ねじ
１０３                    口金
１０４                    ＬＥＤ
１０５                    突出部
１０６                    凹み部
１０７                    封止部材
【図１】
0003150914.tif 000003
【図２】
0003150914.tif 000004
【図３】
0003150914.tif 000005